(57)【要約】【課題】端子が設けられる機器本体をコンパクトに作り得る装着型電子機器を提供することにある。【解決手段】平板型二次電池２５、モジュール２４、及び表側より視認可能なディスプレイ２３が内蔵された機器本体２と、この本体２の両側に接続された装着アーム（装着部材）３、４とを備えて、人体の腕（被装着部）Ａに着脱可能に装着される装着型電子機器を前提とする。機器本体２の裏面壁２２ｂを、この壁の中央部から少なくとも一方の装着アームに寄るにしたがって装着状態で次第に広くなる空隙Ｓを腕Ａとの間に作るような平板状に形成する。裏面壁２２ｂに空隙Ｓに臨むように充電用の端子３１を取付けて、この端子３１の配置が機器本体２の平面形状を大きくする要因とならないようにしている。【選択図】    図８
2004289521.tif 000002
【特許請求の範囲】
【請求項１】
平板型二次電池、モジュール、及び表側より視認可能なディスプレイが内蔵された機器本体と、この本体の両側に接続された装着部材とを備えて、人体の被装着部に着脱可能に装着される装着型電子機器であって、
前記機器本体の裏面壁が、この壁の中央部から少なくとも一方の前記装着部材に寄るにしたがって次第に広くなる空隙を装着状態において前記被装着部との間に形成するような平板状をなしており、前記空隙に臨むように前記裏面壁に端子が取付けられている装着型電子機器。
【請求項２】
請求項１に記載の装着型電子機器において、前記機器本体が、前記裏面壁の両端部外面から突出する支え部を有し、前記端子が前記両支え部の先端を結ぶ仮想直線を超えないように設けられている。
【請求項３】
請求項１又は２に記載の装着型電子機器において、前記機器本体の裏側に前記端子を覆うカバーが取付けられている。
【請求項４】
請求項３に記載の装着型電子機器において、前記カバーが、前記機器本体に固定されて前記裏面壁の外面との間に前記端子が露出するジャック挿入間隙を形成する硬質な第１カバー要素と、前記ジャック挿入間隙の入口を隠す位置と露出させる位置とにわたって前記機器本体に移動可能に取付けられた第２カバー要素とで形成されている。
【請求項５】
請求項４に記載の装着型電子機器において、前記第２カバー要素が軟質材料で作られている。
【請求項６】
請求項１から５の内のいずれか１項に記載の装着型電子機器において、前記機器本体内に前記二次電池に接続された端子受けが設けられ、前記端子がピン状であって、この端子が前記端子受けに接する接触位置と前記端子受けから離れる非接触位置とにわたって移動可能に設けられ、かつ、前記端子が前記非接触位置に向けてばねで付勢されている。
【請求項７】
請求項１から６の内のいずれか１項に記載の装着型電子機器と、
この電子機器の裏側から前記端子に接続されるジャック、及びこのジャックに電線ケーブルを介して接続された充電器本体を備える充電器と、
を具備した充電器付き装着型電子機器。
【請求項８】
請求項７に記載の充電器付き装着型電子機器において、前記ジャックが前記裏面壁の外面に沿って摺動されることにより前記端子に接続される外部端子を有したスライド式のものである。
【請求項９】
請求項８に記載の充電器付き装着型電子機器において、前記外部端子が、前記端子を付勢している前記ばねの付勢力より大きいばね力を有する導電性の板ばねで作られている。
【請求項１０】
請求項８又は９に記載の充電器付き装着型電子機器において、前記ジャックが、前記ジャック挿入間隙に挿脱される挿入部を有したケースと、前記端子に弾性的に接する接触部を有しこの接触部を前記挿入部に位置させて前記ケースに取付けられた前記外部端子とを備えている。
【請求項１１】
請求項１０に記載の充電器付き装着型電子機器において、前記ケースが、前記端子に接続された状態で前記仮想直線と前記裏面壁との間に収まる大きさに作られている。
【請求項１２】
請求項１０又は１１に記載の充電器付き装着型電子機器において、前記ジャックが、前記外部端子を覆う閉じ位置及び前記外部端子を露出させる開き位置に渡って前記ケースに移動可能に取付けられた端子カバーを備えている。
【発明の詳細な説明】
【０００１】
【発明の属する技術分野】
本発明は、人体の腕などに装着して携帯可能な装着型電子機器、及びこの電子機器が有する二次電池への充電をする充電器と前記装着型電子機器とを備える充電器付き装着型電子機器に関する。
【０００２】
【従来の技術】
従来、腕時計等の携帯型電子機器の中には、ディスプレイが取付けられた機器本体に、平板状の二次電池を内蔵し、機器本体の一側部にピン状の充電端子を水平な姿勢で取付けたものがある。この携帯型電子機器は、充電器を兼ねるドッキングステーションにセットされた状態で、前記充電端子にその側方からドッキングステーションの接続端子を接続して、二次電池に充電ができるように作られている（例えば特許文献１参照。）。
【０００３】
【特許文献１】
特開２００２−１１０２８４号公報（段落００１１−００１３、段落００１９−００２０、図４、図３２、図３５）
【０００４】
【発明が解決しようとする課題】
特許文献１に記載の技術では、充電器に接続可能な充電端子はピン状であり、この端子を機器本体の一側に水平な姿勢で配設している。このため、機器本体の一側部の幅は、ピン状充電端子の長さ分と、この端子に接続端子が接続される時の充電端子の移動寸法と、非充電状態でピン状充電端子を覆う端子カバーの配置スペースとを考慮した大きさとなっている。この一側部の幅寸法により、機器本体の形状が平面的に大きくなり易い。これにより、腕などに装着して携帯される電子機器をコンパクトにする場合には不利である。
【０００５】
更に、前記ドッキングステーションを用いないで、前記ピン状充電端子に接続されるジャックと、充電回路装置が内蔵された充電器本体とを可撓性の電線ケーブルで接続してなる充電器を用いて充電を行う場合、ジャックの位置が機器本体の表面に近いので、自在に変形できる電線ケーブルのジャック側部分が機器本体の表面にかかり易い。この場合にはディスプレイの表示が妨げられる。
【０００６】
本発明が解決しようとする課題は、端子が設けられる機器本体をコンパクトに作ることが可能な装着型電子機器、及び端子が設けられる機器本体をコンパクトに作ることが可能であるとともに表示が充電中に妨げられ難い充電器付き装着型電子機器を提供することにある。
【０００７】
【課題を解決するための手段】
前記課題を解決するために、本発明に係る装着型電子機器は、人体の被装着部に着脱可能に装着させる装着部材が両側に接続された機器本体を備え、この機器本体の裏面壁を、この壁の中央部から少なくとも一方の装着部材に寄るにしたがって次第に広くなる空隙を装着状態において被装着部との間に作るような平板状に形成し、裏面壁に端子を取付けるとともに、この端子を前記空隙に臨むように設けている。
【０００８】
本発明で、裏面壁が平板状とは、この裏面壁の外面が、完全にフラットである形態、及び裏面壁の中央部から片方の装着部材に寄る外面部位が例えば人体の腕等の被装着部に近づくように多少湾曲している形態等、又は、裏面壁の中央部から少なくとも一方の装着部材に寄る外面部位が例えば人体の腕等の被装着部からに遠ざかるように多少湾曲している形態等も含んでいる。本発明で、裏面壁に取付けられた端子は、充電用又は通信用等に使用できる。本発明で、装着部材は、例えば人体の腕等への装着を可能とするものであり、バンド等も使用可能である。本発明の装着型電子機器は、機器本体に電子部品が内蔵されると共に例えば人体の腕等に装着して携帯が可能な腕時計、及び通話等が可能な携帯通信機器等に適用できる。
【０００９】
本発明の装着型電子機器は、例えば人体の腕等の被装着部に装着して携帯される。この装着状態では、丸みを帯びている被装着部と装着型電子機器が備える機器本体の平板状をなす裏面壁との間には、裏面壁の中央部から少なくとも一方の装着部材に寄るにしたがって次第に広くなる空隙が形成される。この空隙に臨むように裏面壁に取付けられた端子は、機器本体の裏面壁の投影領域内に配置されている。このため、端子の長さ等に応じた端子取付け領域を機器本体の周囲に設ける必要がない。装着型電子機器の非装着状態では例えば充電などの必要に応じて前記端子にジャックが接続される。
【００１０】
本発明に係る装着型電子機器の好ましい形態では、前記機器本体が、前記裏面壁の両端部外面から突出する支え部を有し、前記端子が前記両支え部の先端を結ぶ仮想直線を超えないように設けられている。この形態では、装着型電子機器を机上面等に置いた場合に、机上面等に端子が当たることを防止することが可能である。
【００１１】
本発明に係る装着型電子機器の好ましい形態では、前記機器本体の裏側に前記端子を覆うカバーが取付けられている。この形態では、カバーによって端子を保護することが可能である。
【００１２】
本発明に係る装着型電子機器の好ましい形態では、前記カバーが、前記機器本体に固定されて前記裏面壁の外面との間に前記端子が露出するジャック挿入間隙を形成する硬質な第１カバー要素と、前記ジャック挿入間隙の入口を隠す位置と露出させる位置とにわたって前記機器本体に移動可能に取付けられた第２カバー要素とで形成されている。第１、第２のカバー要素を硬質な合成樹脂材料で一体に作った場合には、固定の第１カバー要素相当部と第２カバー要素相当部との境が、第２カバー要素相当部の開閉の繰返しに伴って疲労により白化して破壊する恐れがある。しかし、両カバー要素を分離して第２のカバー要素だけを移動可能にしたので、既述の疲労破壊がなく耐久性に優れる。
【００１３】
本発明に係る装着型電子機器の好ましい形態では、前記第２カバー要素が軟質材料で作られている。この形態では、携帯時における被装着部への装着の感触を良くできる。
【００１４】
本発明に係る装着型電子機器の好ましい形態では、前記機器本体内に前記二次電池に接続された端子受けが設けられ、前記端子がピン状であって、この端子が前記端子受けに接する接触位置と前記端子受けから離れる非接触位置とにわたって移動可能に設けられ、かつ、前記端子が前記非接触位置に向けてばねで付勢されている。この形態では、通常ばねで付勢されている端子と機器本体内の端子受けとが電気的に接続されていないので、仮に、機器本体外でプラス側とマイナス側の端子が水分等で短絡することがあっても、二次電池の放電回路が形成されることがない。
【００１５】
前記課題を解決するために、本発明に係る充電器付き装着型電子機器は、請求項１から６の内のいずれか１項に記載の装着型電子機器と、この電子機器の裏側から前記端子に接続されるジャック、及びこのジャックに電線ケーブルを介して接続された充電器本体を備える充電器と、を具備している。
【００１６】
この充電器付き装着型電子機器は、本発明の装着型電子機器を備えているので、端子の長さ等に応じた端子取付け領域を機器本体の周囲に設ける必要がない。そして、充電などの必要に応じて機器本体の裏側において端子にジャックを接続して、機器本体内の二次電池を充電できる。この場合、端子へのジャックの接続は、ジャックをスライドさせて端子に接続してもよく、或いはジャックを機器本体の厚み方向に沿って裏面壁に当たるように移動させて端子に接続してもよい。この充電の際、ジャックが機器本体の裏側に配置されるので、このジャックと充電器とを接続している電線ケーブルのジャック側端部と機器本体の表面とを、機器本体の厚みを利用して大きく隔てることが可能である。
【００１７】
本発明に係る充電器付き装着型電子機器の好ましい形態では、前記ジャックが前記裏面壁の外面に沿って摺動されることにより前記端子に接続される外部端子を有したスライド式のものである。この形態では、ジャックをスライドさせる際のガイドとして裏面壁の外面を利用できるので、ジャックの外部端子を端子に容易に接続することが可能である。
【００１８】
本発明に係る充電器付き装着型電子機器の好ましい形態では、前記外部端子が、前記端子を付勢している前記ばねの付勢力より大きいばね力を有する導電性の板ばねで作られている。この形態では、外部端子のばね力により端子をその付勢力に抗して端子受けに確実に接続させて、二次電池への充電を確実に行わせることができる。しかも、外部端子が板ばねであるので、端子の軸方向にコイルばね等の付勢体を並べて、この付勢体で端子を押圧する場合に比較して、端子の軸方向に並べられる部分を薄く作ることが可能である。
【００１９】
本発明に係る充電器付き装着型電子機器の好ましい形態では、前記ジャックが、前記ジャック挿入間隙に挿脱される挿入部を有したケースと、前記端子に弾性的に接する接触部を有しこの接触部を前記挿入部に位置させて前記ケースに取付けられた前記外部端子とを備えている。この形態では、裏面壁とカバーとの間に形成されたジャック挿入間隙にジャックの挿入部を挿入することにより、この挿入部を端子から逃げないようにカバーで保持して、ジャックを充電位置にセットできる。これにより、外部端子の接触部の端子への接続と、これに伴う端子の端子受けへの接続とを確実に行わせることが可能である。
【００２０】
本発明に係る充電器付き装着型電子機器の好ましい形態では、前記ケースが、前記端子に接続された状態で前記仮想直線と前記裏面壁との間に収まる大きさに作られている。この形態では、充電時に機器本体が上から押されても、その力を、支え部で受けので、ジャックのケースに前記上からの押圧力が作用することを防止可能である。
【００２１】
本発明に係る充電器付き装着型電子機器の好ましい形態では、前記ジャックが、前記外部端子を覆う閉じ位置及び前記外部端子を露出させる開き位置に渡って前記ケースに移動可能に取付けられた端子カバーを備えている。この形態では、充電器が使用されない時に、ジャックの外部端子を端子カバーで覆うことにより、外部端子を保護することが可能である。
【００２２】
【発明の実施の形態】
以下、図１〜図１２を参照して本発明の一実施形態を説明する。本実施形態の充電器付き装着型電子機器は、図１〜図４に示す装着型電子機器１と、この機器１の付属品である図１０に示す充電器５１とを備えている。装着型電子機器１は、例えば腕装着型通信機器として実施されており、この通信機器１は、人体の腕Ａ（図４及び図５参照）に取外し可能に装着して形態される。
【００２３】
図１〜図４等に示すように通信機器１は、機器本体２と、装着部材例えば一対の装着アーム３、４と、マイクロホン５と、スピーカ６とを備えている。
【００２４】
一対の装着アーム３、４の根元部は、機器本体２の両端部に第１ヒンジ１１又は第２ヒンジ１２を個別に介して回動可能に接続されている。これらの装着アーム３、４は、いずれも装着位置と解放位置とにわたって回動できる。装着アーム３、４が装着位置に配置された状態では、図４に示すように腕Ａをその両側から挟んで、通信機器１を腕Ａに装着できる。図１〜図３に示すように装着アーム３、４が解放位置に配置された状態では、これらアーム３、４は機器本体２の両側に並べた状態に保持される。両ヒンジ１１、１２はいずれも通信機器１を机上面等の設置面Ｂ（図３参照）に置いた状態で、この設置面Ｂに接するようになっている。
【００２５】
なお、両ヒンジ１１、１２には、図示しないが解放用のばねと、このばね力に抗して装着アーム３、４を装着位置に保持するためのロック機構が組込まれ、機器本体２には前記ロック機構の解除釦１３、１４（図１参照）が設けられている。解除釦１３、１４を押すことにより装着位置に配置されている装着アーム３、４が解放位置に前記ばねの力で回動されるようになっている。解放位置の装着アーム３、４は、これらを腕Ａに沿うように手で装着位置まで回動させた場合に、この装着位置に前記ロック機構により保持される。
【００２６】
両装着アーム３、４は、硬質材料製であるとともに、凸となるように湾曲されて、腕Ａに具合良く沿う形状に作られている。両装着アーム３、４の自由端部３ａ、４ａは、いずれも通信機器１を机上面等の設置面Ｂ（図４参照）に置いた場合に、この設置面Ｂに接するようになっている。
【００２７】
装着アーム４には、その表面に突出する各種の操作釦を有した操作部１５が設けられているとともに、マイクロホン５が組込まれている。マイクロホン５が有する集音口５ａ（図２参照）は装着アーム４の湾曲された裏面に開口している。装着アーム３にはスピーカ６が組込まれている。スピーカ６が有する放音口６ａ（図２参照）は装着アーム３の湾曲された裏面に開口している。スピーカ６は、機器本体２が受信した電気信号を会話用の音声に変換して放つ機能と、機器本体２が受信した呼出信号を着信音として報知するレシーバ機能を兼ねている。
【００２８】
図５〜図８に示すように機器本体２は、表面に透明ガラス２１が装着された本体ケース２２を備えている。機器本体２には、ＬＥＤ等のパネル状ディスプレイ２３、モジュール２４、及び平板型の二次電池２５等が内蔵されている。本体ケース２２は、例えばチタン等の軽量でかつ硬質材料からなるフレーム２２ａと、このフレーム２２ａに連結されて好ましくは裏蓋として機能する硬質な合成樹脂材料からなる裏面壁２２ｂとを有している。なお、フレーム２２ａと裏面壁２２ｂとは一体に作ることも可能である。
【００２９】
ディスプレイ２３は透明ガラス２１の裏面に対向して配置され、このディスプレイ２３の裏側にモジュール２４が配置されている。モジュール２４は、必要な各種の電子部品をモジュール基板に搭載してなるブロックであり、音声及びデータ等の情報を処理して送受信するとともに、この送受信等において必要な表示を制御したり、マイクロホン５及びスピーカ６を制御する。二次電池２５はディスプレイ２３及びモジュール２４等に対する電源であって、これはモジュール２４の裏側において裏面壁２２ｂの内面に接して配置されている。
【００３０】
本体ケース２２内には端子受け２５ａが設けられている。端子受け２５ａは、二次電池２５の一端からこの電池２５の板面と平行な突設された電池基板によって形成されている。この電池基板は、充電のためのプラス側とマイナス側の端子接触要素、充電状態を検知するための端子接触要素、及びデータ通信のための端子接触要素を有している。各端子接触要素は銅箔パターンなどで作られている。端子受け２５ａは裏面壁２２ｂの内面と対向している。
【００３１】
平板型の二次電池２５を湾曲した形状に作ることは、現状では困難視されている。こうした事情に基づき、二次電池２５が積層される裏面壁２２ｂは平板状をなしている。ここに、平板状とは、通信機器１を腕Ａに装着した状態で、図８に示すように腕Ａと裏面壁２２ｂとの間に、裏面壁２２ｂの中央部から一方の装着アーム３に寄るにしたがって次第に広くなる空隙Ｓを形成する形態を指している。この空隙Ｓの形態は楔状とみなすこともできる。なお、本実施形態では、腕Ａに対する装着性を良くするために、裏面壁２２ｂの外面２２ｃの内で、裏面壁２２ｂの中央部から他方の装着アーム４に至る裏面壁領域は、湾曲面で作られている。このため、裏面壁２２ｂが平板状であると言えども各部の厚みは一定ではない。
【００３２】
装着アーム３、４が接続される裏面壁２２ｂの両端部には、裏面壁２２ｂと一体の支え部２６、２７が裏面壁２２ｂから折れ曲がるように夫々突設されている。これら支え部２６、２７は、いずれも通信機器１を机上面等の設置面Ｂに置いた場合に、この設置面Ｂに接するように形成されている。一方の装着アーム３側の支え部２６は、腕Ａとの間で前記空隙Ｓの広がりを仕切るように機能し、それにより、図８に示す断面図において空隙Ｓは略三角形状となる。このように略三角形状に仕切られた空隙Ｓの理解を識別するために、この空隙Ｓの領域を図８中に２点鎖線の平行斜線を付して示す。
【００３３】
図９中符号３１〜３４で示した端子は、装着アーム３に寄るとともに端子受け２５ａに対向する位置で裏面壁２２ｂに取付けられている。端子３１はプラス側の充電用端子であり、端子３２はマイナス側の充電用端子である。端子３３は充電が正常になされているかどうかの信号を得るための充電検知用端子である。端子３４はデータ通信を行う場合に使用される通信用端子である。端子３１〜３４は、いずれもピン状であって、図８に示す端子３１で代表するように裏面壁２２ｂの外面２２ｃから突出する略半球状の外側端部３０を有し、この外側端部３０は通信機器１を腕Ａに装着した状態で空隙Ｓに突出するように設けられている。外側端部３０は端子３１〜３４の軸部より大径である。
【００３４】
端子３１〜３４は、図８に示す端子３１で代表するように裏面壁２２ｂの貫通孔に通されている。端子３１〜３４の軸部には、本体ケース２２内への防水を図るために、図８に示す端子３１で代表するようにシール用環状パッキン３５が設けられている。
【００３５】
端子３１〜３４は端子受け２５ａに接離できるように軸方向に移動可能であり、その軸部には図８に示す端子３１で代表するように脱落止めの止め輪３６が取付けられている。これにより、端子３１〜３４は、端子受け２５ａの端子接触要素に接触する接触位置と、端子受け２５ａから離れて止め輪３６により位置を規制される非接触位置とにわたって移動できる。
【００３６】
端子３１〜３４は、図８に示す端子３１で代表するようにコイルばね等のばね３７で外面２２ｃから突出する方向、つまり、端子受け２５ａから離れる方向に付勢されている。非充電時、端子３１〜３４は非接触位置に配置されているが、この状態において外側端部３０が、支え部２６、２７の先端を結ぶ仮想直線Ｃ（図５参照）を超えないように、端子３１〜３４は止め輪３６で位置規制されている。
【００３７】
通信機器１を腕Ａに装着した状態で空隙Ｓに臨む一方の支え部２６には、端子３１〜３４の外側端部３０を覆うカバー４１が取付けられている。このカバー４１は、硬質材料からなる第１カバー要素４２と、軟質材料からなる第２カバー要素４３とを組合わせて形成されている。
【００３８】
第１カバー要素４２は、この要素４２と支え部２６と裏面壁２２ｂの外面２２ｃとの間に袋小路状のジャック挿入間隙４４を形成して支え部２６に固定されている。ジャック挿入間隙４４内にはこの間隙４４の入口４４ａ近傍に位置して外側端部３０が露出されている。
【００３９】
第２カバー要素４３は、第１カバー要素４２に枢軸４５を介して回動可能に取付けられている。この第２カバー要素４３は取外しが困難となるように設けられている。第２カバー要素４３は、ジャック挿入間隙４４の入口４４ａを図５に示すように隠す位置と図６に示すように露出させる位置とにわたって移動例えば回動できる。第２カバー要素４３は、入口４４ａを隠す位置に配置された状態では、第２カバー要素４３が裏面壁２２ｂの外面２２ｃに接触して位置決めされるとともに、両カバー要素４２、４３の表面が図５に示すように円弧状に連続する。この連続面は、通信機器１を腕Ａに装着した状態で腕Ａに沿うようになっている。
【００４０】
なお、図５〜図９中符号４８は裏面壁２２ｂを覆って取外し可能に設けられた裏面カバーを示しており、このカバー４８は第２カバー要素４３と同様に柔軟性を有する軟質ウレタン樹脂等で作られている。図９に示すように裏面カバー４８には前記カバー４１を露出させる開口４８ａが設けられている。
【００４１】
なお、裏面カバー４８は腕Ａへの装着状態の感触を良好にするために有用であるが、これは省略することが可能である。裏面カバー４８を用いる場合、このカバー４８を第１カバー要素４２に被るとともに両支え部２６、２７にわたって被さる形態とし、併せて前記開口４８ａ及び第２カバー要素４３を設けることなく省略してもよい。この場合、裏面壁２２ｂへの裏面カバー４８の取付けにより、ジャック挿入間隙４４の入口４４ａを隠すことができるので、入口４４ａへの防水性に優れる。又、裏面壁２２ｂから裏面カバー４８を取外すことにより、入口４４ａを露出させることができる。
【００４２】
二次電池２５に充電をするための前記充電器５１は、図１０に示すように絶縁被覆された電線ケーブル５２と、ケーブル５２の一端に取付けられた充電器本体５３と、電線ケーブル５２の他端に接続されたジャック５４とを備えている。
【００４３】
充電器本体５３は、その内部に充電をする上で必要な充電回路装置を内蔵してなるＡＣアダプタであって、交流電源に差し込み接続されるプラグ５５が出し入れ可能に取付けられている。前記充電回路装置には充電制御用ＩＣが含まれている。
【００４４】
端子３１〜３３に接続されるジャック５４は、スライド式のものであって、図１１及び図１２に示されるようにケース５６と、外部端子５７〜６０と、端子カバー６１とを備えている。
【００４５】
電気絶縁性の合成樹脂により作られたケース５６は、ジャック挿入間隙４４に挿脱される挿入部５６ａを有している。挿入部５６ａは前記開口４８ａより小さい。
【００４６】
外部端子５７〜６０は、いずれも図１２（Ａ）（Ｂ）に示す外部端子５７で代表するように導電性の板ばねを曲げて形成され、接触部６２以外の部分をケース５６に内蔵し、接触部６２を挿入部５６ａ上に重なるように露出させて設けられている。外部端子５７〜６０は並設されている。外部端子５７は前記端子３１に弾性的に接触するプラス側の充電用端子であり、外部端子５８は前記端子３２に弾性的に接触するマイナス側の充電用端子である。外部端子５９は前記端子３３に弾性的に接触する充電検出用の端子である。なお、外部端子６０は充電には使用されない空き端子である。
【００４７】
電気絶縁性の合成樹脂により作られた端子カバー６１は、ケース５６に枢軸６３を介して回動可能に接続されている。このカバー６１は、図１２（Ｂ）に示す外部端子５７〜６０の接触部６２を覆う閉じ位置と、図１２（Ａ）に示す接触部６２を露出させる開き位置とにわたって回動できる。端子カバー６１が閉じ位置に配置されたときには、このカバー６１が挿入部５６ａに引っ掛かって閉じ状態を保持できるようになっている。このため、充電器５１が使用されない時に、端子カバー６１でジャック５４の外部端子５７〜６０を覆うことにより、これら外部端子５７〜６０を保護することが可能である。
【００４８】
端子カバー６１がない状態でのジャック５４の大きさはケース５６で規制されるが、図７に示すようにケース５６は、ジャック５４が後述のように端子３１〜３４に接続された状態で、前記仮想直線Ｃと裏面壁２２ｂとの間に収まる大きさに作られている。したがって、端子カバー５６を省略した実施形態とする場合、そのジャック５４を用いての充電中に機器本体２が上から押されても、その力がジャック５４のケース５６に波及して破損することを防止することが可能である。
【００４９】
前記構成を備える通信機器１は、その一対の装着アーム３、４を装着位置に配置することにより、図４に示すように腕Ａに装着した状態で携帯される通信機器１として使用できる。
【００５０】
この携帯状態では、図５に示すようにカバー４１が閉じた状態にあるので、腕Ａと機器本体２の裏面壁２２ｂとの間に形成された略三角形状の空隙Ｓ内に露出している端子３１〜３４に、汗や垢等が付着することを防止できる。しかも、互いに連続して湾曲面をなしているカバー４１と裏面カバー４８とが、腕Ａに接するとともに、支え部２６、２７が腕Ａに接触可能であるので、腕Ａへの装着状態が安定する。更に、腕Ａへの接触部の殆どが柔軟性を有しているので、装着状態での腕Ａの感触も良好になる。
【００５１】
更に、機器本体２に取付けられたピン状の端子３１〜３４は、これらに個別に対応して設けたばね３７でいずれも付勢されていて、これら端子端子３１〜３４と機器本体２内の対応する端子受け２５ａとは電気的に接続されていない状態に保持されている。このため、携帯状態等の非充電時に、仮にカバー４１部分を通過した水分等でプラス側とマイナス側の端子３１、３２が短絡することがあっても、二次電池２５の放電回路が形成されて、この電池２５の電力が消耗されることを防止することが可能である。
【００５２】
前記携帯状態の通信機器１を腕Ａから取外して情報の送受信の一例である通話をする場合には、図１及び図２等に示すように装着アーム３、４を夫々解放位置に移動させた状態で、スピーカ６を耳元に配置すると共に、マイクロホン５を口元近傍に配置して行うことができる。
【００５３】
この他の通話形態として、通信機器１はスピーカホンとして使用されることがある。この使用において通信機器１は、装着アーム３、４を夫々解放位置に移動させて機器本体２の両側に並べた状態として、第１、第２のヒンジ１２、１３及び両装着アーム３、４の自由端部３ａ、４ｂの４個所を設置面Ｂ上に接触して机上面等の設置面Ｂに置かれる。この設置状態では、機器本体２及び両装着アーム３、４が夫々両端支持される。
【００５４】
このため、設置面Ｂ上の通信機器１は、安定した設置姿勢を維持できることに伴い、上方から操作部１５の押釦を安定して操作することができるとともに、上方からの荷重にも耐えることが可能である。以上のように通信機器１をスピーカホンとして使用する場合には、機器本体２のディスプレイ２３が視認可能に上を向くので、このディスプレイ２３を視認しつつ通話ができる。しかも、この場合、裏面壁２２ｂから突出した支え部２６、２７によって、裏面壁２２ｂを厚み方向に貫通した端子３１〜３４が、通信機器１が置かされた机上面等に当たらないようにできる。
【００５５】
腕Ａから取外された状態で充電器５１を用いて機器本体２内の二次電池２５を充電する場合の手順を説明する。
【００５６】
図６及び図９に示すように第２カバー要素４３を開いて、裏面壁２２ｂの外面２２ｃの一部とともにジャック挿入間隙４４の入口４４ａを露出させる。次に、図１２（Ｂ）に示すようにジャック５４をその端子カバー６１が開いた状態にして、このジャック５４の挿入部５６ａを、裏面カバー４８の開口４８ａに通して裏面壁２２ｂの外面２２ｃに押し当てることにより、入口４４ａに位置決めする。この後、挿入部５６ａを外面２２ｃに沿わせて摺動させジャック挿入間隙４４に押し込む。
【００５７】
これにより、図７に示す端子３１と外部端子５７との関係で代表するように、端子３１の外側端部３０に接する外部端子５７の弾性変形を伴いながらジャック挿入間隙４４に挿入部５６ａが挿入されて、ジャック５４が機器本体２の裏面に取付けられる。この取付け状態では、ばね３７よりばね力が強い外部端子５７によって、端子３１が機器本体２内に向けて押し込まれるので、端子３１が端子受け２５ａに密接して、これらが電気的に接続される。他の端子３２〜３４についても同様である。
【００５８】
この接続においては、既述のようにジャック５４をスライドさせる際のガイドとして裏面壁２２ｂの外面２２ｃを利用できるので、ジャック５４の外部端子５７〜６１を対応する端子３１〜３４に容易に接続させることが可能である。しかも、既述のように導電性の板ばねで作られた外部端子５７〜６１のばね力がばね３７の付勢力より大きいので、端子３１〜３４を端子受け２５ａに確実に接続させて二次電池２５への充電を可能とすることができる。しかも、この場合、ジャック挿入間隙４４を区画する第１カバー要素４２が機器本体２に固定されているので、前記間隙４４に挿入された挿入部５６ａが端子３１〜３４から逃げないように支持して、ジャック５４を充電位置に確実に装着できる。
【００５９】
ジャック５４が装着された状態は図７に示されており、この状態では前記仮想直線Ｃと裏面壁２２ｂとの間にジャック５４のケース５６が配置されている。又、ケース５６は挿入部５６ａとの間に段部を設けた逃げ面５６ｂ（図７及び図１２参照）を有している。この逃げ面５６ｂは、ジャック５４の装着状態で前記外面２２ｃに対向して、ケース５６が開口４８ａの縁に引っ掛からないようにしている。このため、充電完了後にジャック５４を外す時に裏面カバー４８が邪魔となることを抑制可能である。
【００６０】
以上のジャック５４の装着後に、充電器本体５３から引出したプラグ５５を図示しないコンセントに接続することにより、この充電器本体５３内の充電回路装置を動作させて二次電池２５を充電することができる。
【００６１】
この充電の際には、既述の端子３１〜３４の配置によって、ジャック５４が機器本体２の裏側でこの本体２の投影領域に位置される。このため、机上面等に機器本体２及び装着アーム３、４の裏面を対向させて通信機器１が置かれた状態では、ジャック５４と機器本体２の表面との間の上下方向の距離を大きく確保することが可能である。これにより、ジャック５４に接続された電線ケーブル５２のジャック側部分が、機器本体２の表面にかかることを抑制できる。したがって、充電中に電線ケーブル５２でディスプレイ２３の表示が見難くなることを抑制することが可能である。なお、以上のように机上面等に通信機器１を置く場合、開き位置に配置された第２カバー要素４３は、邪魔にならないように机上面等に沿って自在に変形する。
【００６２】
前記構成の通信機器１が腕Ａに装着された状態では、丸みを帯びている腕Ａと、平板型二次電池２５によって形態が平板状に規制された機器本体２の裏面壁２２ｂとの間に、空隙Ｓが形成される。空隙Ｓは、裏面壁２２ｂの中央部から一方の装着アーム３に寄るにしたがって次第に広くなっている。そして、この空隙Ｓに臨むように裏面壁２２ｂに取付けられた端子３１〜３４は、機器本体２の裏面側への本体ケース２２の内部空間及びこの空間に内蔵された部品の投影領域、言い換えれば、裏面壁２２ｂの投影領域内に配置されている。このため、このピン状端子３１〜３４の長さ等に応じた端子取付け領域を機器本体２の周囲に設ける必要がない。したがって、通信機器１の機器本体２を平面形状をコンパクトに作ることが可能である。
【００６３】
しかも、充電器５１の外部端子５７〜６０を板ばねとしたので、ピン状端子３１〜３４の軸方向にコイルばね等の付勢体を並べて、この付勢体で端子３１〜３４を押圧する場合に比較して、端子３１〜３４の軸方向に並べられる部分、つまり、ジャック５４の挿入部５６ａの厚みを薄く作ることが可能である。
【００６４】
【発明の効果】
本発明に係る装着型電子機器によれば、例えば充電などのためにジャックが接続される端子の長さ等に応じた端子取付け領域を機器本体の周囲に設ける必要がないので、機器本体をコンパクトに作ることが可能である。
【００６５】
本発明に係る充電器付き装着型電子機器によれば、充電のためにジャックが接続される端子の長さ等に応じた端子取付け領域を機器本体の周囲に設ける必要がないので、機器本体をコンパクトに作ることが可能であるとともに、充電時にジャックと充電器とを接続している電線ケーブルのジャック側端部が機器本体の表面にかかって表示を妨げることを抑制可能である。
【図面の簡単な説明】
【図１】本発明の一実施形態に係る腕装着型電子機器を示す平面図。
【図２】図１の腕装着型電子機器を示す裏面図。
【図３】図１の腕装着型電子機器を示す側面図。
【図４】図１の腕装着型電子機器を腕に装着した状態で示す側面図。
【図５】図１の腕装着型電子機器の機器本体を示す断面図。
【図６】図１の腕装着型電子機器の機器本体をカバー開放状態で示す断面図。
【図７】図１の腕装着型電子機器の機器本体をジャックが接続された状態で示す断面図。
【図８】図６の腕装着型電子機器の機器本体の一部を拡大して示す断面図。
【図９】図１の腕装着型電子機器の機器本体をカバー開放状態で裏側から見て示す斜視図。
【図１０】図１の腕装着型電子機器に接続される充電器を示す平面図。
【図１１】図１０の充電器が備えるジャックを示す斜視図。
【図１２】（Ａ）は図１１のジャックをその端子カバーが開かれた状態で示す断面図。
（Ｂ）は図１１のジャックをその端子カバーが閉じられた状態で示す断面図。
【符号の説明】
１…腕装着型通信機器（携帯型電子機器）
２…機器本体
３…装着アーム（装着部材）
４…装着アーム（装着部材）
１１…第１ヒンジ
１２…第２ヒンジ
２１…透明ガラス
２２…本体ケース
２２ｂ…本体ケースの裏面壁
２２ｃ…裏面壁の外面
２３…ディスプレイ
２４…モジュール
２５…二次電池
２５ａ…端子受け
２６、２７…支え部
３０…端子の外側端部
３１〜３４…端子
３７…ばね
４１…カバー
４２…第１カバー要素
４３…第２カバー要素
４４…ジャック挿入間隙
４４ａ…ジャック挿入間隙の入口
５１…充電器
５２…電線ケーブル
５３…充電器本体
５４…ジャック
５６…充電器のケース
５６ａ…ケースの挿入部
５７〜６０…充電器の外部端子
６１…充電器の端子カバー
６２…外部端子の接触部
Ａ…人体の腕
Ｃ…仮想直線
Ｓ…空隙
【図１】
2004289521.tif 000003
【図２】
2004289521.tif 000004
【図３】
2004289521.tif 000005
【図４】
2004289521.tif 000006
【図５】
2004289521.tif 000007
【図６】
2004289521.tif 000008
【図７】
2004289521.tif 000009
【図８】
2004289521.tif 000010
【図９】
2004289521.tif 000011
【図１０】
2004289521.tif 000012
【図１１】
2004289521.tif 000013
【図１２】
2004289521.tif 000014